【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
食道の近傍における組織または筋壁の欠損を修復するための移植可能なプロテーゼであって、
移植可能で生体適合性材料の修復用繊維を備え、
前記修復用繊維は、前記食道を受容するように構成されている開口部を有し、
前記修復用繊維は、本体部分と、当該本体部分から延在している第１および第２の尾部と、を有し、
前記本体部分は、第１および第２のセグメントを有する基部により略三角形に構成され、
前記第１の尾部は、前記基部の前記第１のセグメントから延在し、
前記第２の尾部は、前記基部の前記第２のセグメントから延在し、
前記開口部は、前記第１の尾部と前記第２の尾部との間の前記基部に沿って配置されている、移植可能なプロテーゼ。
【請求項２】
前記修復用繊維は、組織および器官との癒着形成ならびに前記組織および前記器官内への浸食の影響を受けやすい、請求項１に記載の移植可能なプロテーゼ。
【請求項３】
前記修復用繊維は、組織成長を可能にするように構築され且つ配置される複数の間隙を含む、請求項１又は２に記載の移植可能なプロテーゼ。
【請求項４】
修復用繊維は、ＰＴＦＥメッシュおよびポリプロピレンメッシュの１つから形成されている、請求項１ないし３のいずれか一項に記載の移植可能なプロテーゼ。
【請求項５】
前記修復用繊維は、第１および第２の面を有し、
前記第１の面は、前記組織または筋壁の欠損に面するように構成され、
前記第２の面は、前記欠損と反対向きとなるように構成され、
当該移植可能なプロテーゼは、組織および器官との癒着形成を阻止する面バリアをさらに備え、
前記面バリアは、前記修復用繊維の前記第２の面の少なくとも一部に配置されている、請求項２ないし４のいずれか一項に記載の移植可能なプロテーゼ。
【請求項６】
前記面バリアは、実質的に前記修復用繊維の前記第２の面全体に配置されている、請求項５に記載の移植可能なプロテーゼ。
【請求項７】
前記面バリアは、ｅＰＴＦＥから形成されている、請求項５又は６に記載の移植可能なプロテーゼ。
【請求項８】
前記修復用繊維が、第１および第２の面と、当該第１の面から当該第２の面に延在している繊維端と、を有し、
前記第１の面は、前記組織または筋壁の欠損に面するように構成され、
前記第２の面は、前記欠損と反対向きとなるように構成され、
当該移植可能なプロテーゼは、前記繊維端の少なくとも一部との癒着形成を阻止するように構成されている端バリアをさらに備えた、請求項２ないし７のいずれか一項に記載の移植可能なプロテーゼ。
【請求項９】
前記端バリアは、前記開口部近位の前記修復用繊維の前記第１の面の一部に配置され、
前記端バリアは、前記基部を越えて延在して前記第１の尾部と前記第２の尾部との間の前記開口部の一部を覆っている、請求項８に記載の移植可能なプロテーゼ。
【請求項１０】
前記端バリアは、前記開口部を横切って前記第１の尾部から前記第２の尾部まで延在している折りたたみ線に沿って前記開口部内に折りたたまれるように構成された外側部分を有し、
前記端バリアは、前記折りたたみ線と前記本体部分との間の前記開口部を覆っている棚部分をさらに有する、請求項９に記載の移植可能なプロテーゼ。
【請求項１１】
前記端バリアは、前記開口部を横切って前記第１の尾部から前記第２の尾部まで延在している湾曲した外端を有し、
前記外端は、第１の支持点で前記第１の尾部を覆っていると共に、第２の支持点で前記第２の尾部を覆っている、請求項１０に記載の移植可能なプロテーゼ。
【請求項１２】
前記端バリアは、涙の形をした構成を有する、請求項１１に記載の移植可能なプロテーゼ。
【請求項１３】
前記折りたたみ線は、前記第１の支持点から前記第２の支持点まで延在している、請求項１１に記載の移植可能なプロテーゼ。
【請求項１４】
前記端バリアは、第１および第２の付着点においてそれぞれ前記第１の尾部および前記第２の尾部に付着し、
前記第１および第２の付着点は、前記第１および第２の支持点と前記基部との間に配置されている、請求項１１に記載の移植可能なプロテーゼ。
【請求項１５】
前記折りたたみ線は、前記第１の付着点から前記第２の付着点まで延在している、請求項１４に記載の移植可能なプロテーゼ。
【請求項１６】
前記折りたたみ線は、前記第１の支持点から前記第１の付着点まで延在している前記第１の尾部の領域から、前記第２の支持点から前記第２の付着点まで延在している前記第２の尾部の領域まで延在している、請求項１４に記載の移植可能なプロテーゼ。
【請求項１７】
前記端バリアは、前記第１および第２の尾部のうち１つの前記繊維端の少なくとも一部の周囲に配置されている、請求項８に記載の移植可能なプロテーゼ。
【請求項１８】
前記端バリアは、前記第１および第２の尾部の各々の前記繊維端の少なくとも一部の周囲に配置されている、請求項１７に記載の移植可能なプロテーゼ。
【請求項１９】
前記端バリアは、前記開口部の少なくとも一部の前記繊維端の周囲に配置されている、請求項８に記載の移植可能なプロテーゼ。
【請求項２０】
前記端バリアは、前記第１の面の一部から前記第２の面の一部までの前記繊維端の周囲を包むバリア層を有する、請求項１９に記載の修復用織物プロテーゼ。
【請求項２１】
前記端バリアは、前記繊維端に垂直方向に当該繊維端から間隔が空けられている内面を有し、
前記内面は、前記繊維端による前記組織および器官の浸食を阻止すると共に前記繊維端への癒着形成を阻止するために、当該端バリアの内面と前記繊維端との間の間隙を形成している、請求項２０に記載の移植可能なプロテーゼ。
【請求項２２】
前記第１および第２尾部の各々の一部は、丸みを帯びた外周部を有する、請求項１ないし２１のいずれか一項に記載の移植可能なプロテーゼ。
【請求項２３】
前記第１および第２尾部の各々は、前記基部から間隔が空けられている外端を有し、
前記第１および第２尾部の各々は、前記基部から前記外端に向かう方向に減少する幅を有する、請求項１ないし２２のいずれか一項に記載の移植可能なプロテーゼ。
【請求項２４】
前記修復用繊維は、反転された縫い目に沿って互いに連結された第１層および第２層を有し、
前記縫い目は、前記第１層と前記第２層との間の内部に延在して、前記組織および器官の浸食を阻止する、請求項１ないし２３のいずれか一項に記載の移植可能なプロテーゼ。
【請求項２５】
前記修復用繊維は、食道裂孔近位に位置するように構築され且つ配置されている、請求項１ないし２４のいずれか一項に記載の移植可能なプロテーゼ。
【請求項２６】
前記修復用繊維は、ハート形の構成を有する、請求項１ないし２５のいずれか一項に記載の移植可能なプロテーゼ。
【請求項２７】
管状構造の近傍における組織または筋壁の欠損を修復するための移植可能なプロテーゼであって、
移植可能で生体適合性材料の修復用繊維を備え、
前記修復用繊維は、略ハート形の外側外周部を有し、
前記外側外周部は、前記管状構造を受容するように構成され、当該外側外周部の一部に沿った開口部を有する、移植可能なプロテーゼ。
【請求項２８】
前記修復用繊維は、組織および器官との癒着形成ならびに前記組織および器官内への浸食の影響を受けやすい、請求項２７に記載の移植可能なプロテーゼ。
【請求項２９】
前記修復用繊維は、組織成長を可能にするように構築され且つ配置されている複数の間隙を含む、請求項２７又は２８に記載の移植可能なプロテーゼ。
【請求項３０】
前記修復用繊維は、ＰＴＦＥメッシュおよびポリプロピレンメッシュの１つから形成される、請求項２７ないし２９のいずれか一項に記載の移植可能なプロテーゼ。
【請求項３１】
前記修復用繊維は、第１および第２の面を有し、
前記第１の面は、前記組織または筋壁の欠損に面するように構成され、
前記第２の面は、前記欠損と反対向きとなるように構成され、
当該移植可能なプロテーゼは、組織および器官との癒着形成を阻止する面バリアをさらに備え、
前記面バリアは、前記修復用繊維の前記第２の面の少なくとも一部に配置されている、請求項２８ないし３０のいずれか一項に記載の移植可能なプロテーゼ。
【請求項３２】
前記面バリアは、実質的に前記修復用繊維の前記第２の面全体に配置されている、請求項３１に記載の移植可能なプロテーゼ。
【請求項３３】
前記面バリアは、ｅＰＴＦＥから形成されている、請求項３１又は３２に記載の移植可能なプロテーゼ。
【請求項３４】
前記修復用繊維は、第１および第２の面と、当該第１の面から当該第２の面に延在している繊維端と、を有し、
前記第１の面は、前記組織または筋壁の欠損に面するように構成され、
前記第２の面は、前記欠損と反対向きとなるように構成され、
当該移植可能なプロテーゼは、前記繊維端の少なくとも一部との癒着形成を阻止する端バリアをさらに備えた、請求項２７ないし３３のいずれか一項に記載の移植可能なプロテーゼ。
【請求項３５】
前記修復用繊維は、本体部分と、丸みを帯びた第１および第２のローブと、を有し、
前記第１のローブおよび第２のローブは、これらの間に配置されている前記開口部と共に前記本体部分から延在し、
前記端バリアは、前記開口部の近位の前記修復用繊維の前記第１の面の一部に配置され、
前記端バリアは、前記本体部分を越えて延在し、前記第１のローブと前記第２のローブとの間の前記開口部の一部を覆っている、請求項３４に記載の移植可能なプロテーゼ。
【請求項３６】
前記端バリアは、前記第１のローブから前記第２のローブまで前記開口部を横切って延在する折りたたみ線に沿って前記開口部内に折りたたまれるように構成されている外側部分を有し、
前記端バリアは、前記折りたたみ線と前記本体部分との間の前記開口部を覆っている棚部分をさらに有する、請求項３５に記載の移植可能なプロテーゼ。
【請求項３７】
前記端バリアは、前記第１のローブから前記第２のローブまでの前記開口部を横切って延在している湾曲した外端を有し、
前記外端は、第１の支持点で前記第１のローブを覆っていると共に、第２の支持点で前記第２のローブを覆っている、請求項３５又は３６に記載の移植可能なプロテーゼ。
【請求項３８】
前記端バリアが、涙の形をした構成を有する、請求項３４ないし３７のいずれか一項に記載の移植可能なプロテーゼ。
【請求項３９】
前記折りたたみ線は、前記第１の支持点から前記第２の支持点まで延在している、請求項３７に記載の移植可能なプロテーゼ。
【請求項４０】
前記端バリアは、第１および第２の付着点においてそれぞれ前記第１のローブおよび前記第２のローブに付着し、
前記第１および第２の付着点は、前記第１および第２の支持点と前記本体部分との間に配置されている、請求項３７に記載の移植可能なプロテーゼ。
【請求項４１】
前記折りたたみ線は、前記第１の付着点から前記第２の付着点まで延在している、請求項４０に記載の移植可能なプロテーゼ。
【請求項４２】
前記折りたたみ線は、前記第１の支持点から前記第１の付着点まで延在している前記第１のローブの領域から、前記第２の支持点から前記第２の付着点に延在する前記第２のローブの領域まで延在している、請求項４０に記載の移植可能なプロテーゼ。
【請求項４３】
前記端バリアは、前記第１および第２のローブのうち１つの前記繊維端の少なくとも一部の周囲に配置されている、請求項３５に記載の移植可能なプロテーゼ。
【請求項４４】
前記端バリアは、前記第１および第２のローブの各々の繊維端の少なくとも一部の周囲に配置されている、請求項４３に記載の移植可能なプロテーゼ。
【請求項４５】
前記端バリアは、前記開口部の前記繊維端の少なくとも一部の周囲に配置されている、請求項３４に記載の移植可能なプロテーゼ。
【請求項４６】
前記修復用繊維は、反転された縫い目に沿って互いに連結された第１層および第２層を有し、
前記縫い目は、前記第１層と前記第２層との間の内部に延在して、前記組織および器官の浸食を阻止する、請求項２７ないし４５のいずれか一項に記載の移植可能なプロテーゼ。
【請求項４７】
前記修復用繊維は、食道裂孔近位に位置するように構築され且つ配置され、
前記開口部は、前記食道を受容するように構成されている、請求項２７ないし４６のいずれか一項に記載の移植可能なプロテーゼ。
【請求項４８】
管状構造の近傍における組織または筋壁の欠損を修復するためのプロテーゼ修復用繊維において、
組織および器官との癒着形成および前記組織および器官内への浸食の影響を受けやすい繊維層であって、前記管状構造を受容するように構成されている開口部を有する繊維層を備え、
前記修復用繊維は、本体部分と、前記本体部分から離れて延在している第１および第２の尾部と、を有し、
前記開口部は、前記第１の尾部と第２の尾部との間の前記本体の端部に沿って配置され、
当該プロテーゼ修復用繊維は、前記第１の尾部と前記第２の尾部との間の前記本体の前記端部により組織および器官の癒着形成を阻止するように構成された端バリアであって、第１の付着点で前記第１の尾部に付着されると共に第２の付着点で前記第２の尾部に付着された端バリアを備え、
前記第１および第２の付着点は、前記開口部のセグメントを横切って互いに整列され、
前記端バリアの一部は、前記開口部の一部を覆うと共に、前記第１の付着点と前記第２の付着点との間で前記開口部のセグメントを横切って延在している、プロテーゼ修復用繊維。
【請求項４９】
前記端バリアは、前記第１の尾部から前記第２の尾部へ前記開口部を横切って延在する折りたたみ線に沿って前記開口部内に折りたたまれるように構成されている外側部分を有し、
前記端バリアは、前記折りたたみ線と前記本体部分との間の前記開口部を覆っている棚部分をさらに有する、請求項４８に記載の移植可能なプロテーゼ。
【請求項５０】
前記端バリアは、前記第１の尾部から前記第２の尾部の前記開口部を横切って延在している湾曲した外端を有し、
前記外端は、第１の支持点で前記第１の尾部を覆っていると共に、第２の支持点で前記第２の尾部を覆っている、請求項４９に記載の移植可能なプロテーゼ。
【請求項５１】
前記端バリアは、涙の形をした構成を有する、請求項５０に記載の移植可能なプロテーゼ。
【請求項５２】
前記折りたたみ線は、前記第１の支持点から前記第２の支持点まで延在している、請求項５０に記載の移植可能なプロテーゼ。
【請求項５３】
前記第１および第２の付着点は、前記第１および第２の支持点と前記本体部分との間に配置されている、請求項５０ないし５２のいずれか一項に記載の移植可能なプロテーゼ。
【請求項５４】
前記折りたたみ線は、前記第１の付着点から前記第２の付着点まで延在している、請求項５３に記載の移植可能なプロテーゼ。
【請求項５５】
前記折りたたみ線は、前記第１の支持点から前記第１の付着点まで延在する前記第１の尾部の領域から、前記第２の支持点から前記第２の付着点まで延在する前記第２の尾部の領域まで延在している、請求項５３に記載の移植可能なプロテーゼ。
【請求項５６】
前記修復用繊維は、組織および器官との癒着形成ならびに組織および器官内への浸食の影響を受けやすい、請求項４８ないし５５のいずれか一項に記載の移植可能なプロテーゼ。
【請求項５７】
前記修復用繊維は、組織成長を可能にするように構築され且つ配置されている複数の間隙を含む、請求項４８ないし５６のいずれか一項に記載の移植可能なプロテーゼ。
【請求項５８】
前記修復用繊維は、ＰＴＦＥメッシュおよびポリプロピレンメッシュの１つから形成されている、請求項４８ないし５７のいずれか一項に記載の移植可能なプロテーゼ。
【請求項５９】
前記修復用繊維は、第１の面および第２の面を有し、
前記第１の面は、前記組織または筋壁の欠損に面するように構成され、
前記第２の面は、前記欠損と反対向きとなるように構成され、
当該移植可能なプロテーゼは、組織および器官との癒着形成を阻止する面バリアをさらに備え、
前記面バリアは、前記修復用繊維の前記第２の面の少なくとも一部に配置されている、請求項５６ないし５８のいずれか一項に記載の移植可能なプロテーゼ。
【請求項６０】
前記面バリアは、実質的に前記修復用繊維の前記第２の面全体に配置されている、請求項５９に記載の移植可能なプロテーゼ。
【請求項６１】
前記面バリアは、ｅＰＴＦＥから形成されている、請求項５９又は６０に記載の移植可能なプロテーゼ。
【請求項６２】
前記第１および第２の尾部の各々は、丸みを帯びた外周部を有する、請求項４８ないし６１のいずれか一項に記載の移植可能なプロテーゼ。
【請求項６３】
前記修復用繊維は、反転された縫い目に沿って互いに連結された第１層および第２層を有し、
前記縫い目は、前記第１層と前記第２層との間の内部に延在して、前記組織および器官の浸食を阻止する、請求項４８ないし６２のいずれか一項に記載の移植可能なプロテーゼ。
【請求項６４】
前記修復用繊維は、食道裂孔近位に位置するように構築され且つ配置され、
前記開口部は、前記食道を受容するように構成されている、請求項４８ないし６３のいずれか一項に記載の移植可能なプロテーゼ。
【請求項６５】
前記修復用繊維は、ハート形の構成を有する、請求項４８ないし６４のいずれか一項に記載の移植可能なプロテーゼ。